(57)【特許請求の範囲】
【請求項１】
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口し、足の横巾に合わせてサポータの大きさを調節できるように形成し、さらに、上部が開口するサポータ部の内側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られることを特徴とする外反母趾及び内反小指矯正用サポータ。
【請求項２】
中足関節部、及び第５中足骨基底部を内方に押圧するようにし、親指と小指にかぶせる包容部を形成した外反母趾及び内反小指矯正用伸縮サポータにおいて、包容部を形成したサポータの上部が開口し、足の横巾に合わせてサポータの大きさを調節できるように形成し、さらに、上部が開口するサポータ部の内側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られることを特徴とする外反母趾及び内反小指矯正用サポータ。
【請求項３】
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口し、足の横巾に合わせてサポータの大きさを調節できるように形成し、さらに、上部が開口するサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られることを特徴とする外反母趾及び内反小指矯正用サポータ。
【請求項４】
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口しない筒状のサポータで形成し、さらに、上部が開口しない筒状のサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られることを特徴とする外反母趾及び内反小指矯正用サポータ。
【請求項５】
中足関節部、及び第５中足骨基底部を内方に押圧するようにし、親指と小指にかぶせる包容部を形成した外反母趾及び内反小指矯正用伸縮サポータにおいて、サポータの上部が開口し、足の横巾に合わせてサポータの大きさを調節できるように形成し、さらに、上部が開口するサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られることを特徴とする外反母趾及び内反小指矯正用サポータ。
【請求項６】
中足関節部、及び第５中足骨基底部を内方に押圧するようにし、親指と小指にかぶせる包容部を形成した外反母趾及び内反小指矯正用伸縮サポータにおいて、サポータの上部が開口しない筒状のサポータで形成し、さらに、上部が開口しない筒状のサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られることを特徴とする外反母趾及び内反小指矯正用サポータ。
【発明の詳細な説明】
【技術分野】
【０００１】
本発明は、私達の人間生活において、２本の足で立って歩くようになった時から、重力とのバランスを足が保つようになり、一時も休むことなく重力と戦っている。人間の体はどこをとってもすべて重力と調和を保つよう、精巧な構造で造られている。しかし、その足、特に足裏に不安定があると、全身に前後・左右・上下などのアンバランスを発生させる他に、さらに足裏の不安定は歩くたびに「過剰な衝撃」と「必要以上のねじれ」という有害なストレスを体に伝え、アンバランスの大きい箇所から破壊していく。これが原因のはっきりしない膝、腰、頚の痛みや頭痛、肩こり、自律神経失調など体の不調の根本原因になるものである。
本発明は、その原因である外反母趾と内反小指を矯正し、足裏に横アーチ、縦アーチを再生させ、足裏全体のバランスを整え正しい歩行ができるようにし、足のねじれを矯正するサポータに関する。
【背景技術】
【０００２】
従来の技術としては、外反母趾及び内反小指矯正用サポータにおいて、甲部分を含む足先方を弾性を有する筒状部材で覆うように形成し、また、ズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、足裏に横アーチと縦アーチを再生させた時の縦アーチへの補助となり、外反母趾、内反小指さらには偏平足にも効果が得られる外反母趾及び内反小指矯正用サポータ（例えば、特許文献１参照）が存在している。
【特許文献１】特開２００４−３２９４５２公報（特許請求の範囲の欄、発明の詳細な説明の欄の｛発明の実施の形態｝の段落｛００１２｝、｛００１５｝〜｛００２６｝及び図３〜図４、図９〜図１２を参照）
【発明の開示】
【発明が解決しようとする課題】
【０００３】
ひどい捻挫や筋肉・靭帯の断裂・また骨折などの新鮮な損傷に対して治療をする場合、電気やマッサージ・湿布などを全くしなくても、ギプスで患部の安静固定を図るだけで十分治ってしまう。これと同じように亜急性・慢性などの過労性の損傷（例えば、外反母趾や内反小指）であっても細胞損傷の事実とその損傷の程度は同じであるため、しっかりとした患部の安静固定が必要であり、場合によっては新鮮な損傷以上の固定が必要である。負傷の瞬間を特定できない過労性の損傷（例えば、外反母趾や内反小指）に対して、その治癒率が極めて低くなっているが、その大きな理由が固定の甘さである。固定が甘くなる理由は、過労性の損傷のように緊急性・危険性・そして治療上のリスクが少ない損傷（例えば、外反母趾や内反小指）に対しては「面倒な固定はしない」という意識が術者と患者の両方に共通するからである。
また、「慢性的な損傷に対しては固定をしなくても問題ない、またその必要性も少ない」といった誤った先入観が存在しているので、まずは先入観の誤りから正していくことが重要となってくる。
つまり、患部の固定により環境条件の回復を図って自然治癒力を発揮させるという固定学によって外反母趾・内反小指の矯正を行っていくことでよりバランスのよい足を再現することができる。
ここで上記従来の技術は、確かに、外反母趾、内反小指さらには偏平足にも効果が得られ、外反母趾及び内反小指を矯正することができるが、サポータ使用中において足に体重による負荷が大きくかかると、足の支点・作用点を固定していたサポータ部が伸びたり変形してしまい、足裏の縦アーチや横アーチの再生が不完全になる恐れがあり、外反母趾及び内反小指の矯正の効果が半減する問題があった。
【課題を解決するための手段】
【０００４】
上記課題を解決するための本発明の第１発明は、請求項１に記載された通りの外反母趾及び内反小指矯正用サポータであり、次のようなものである。
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口し、足の横巾に合わせてサポータの大きさを調節できるように形成し、さらに、上部が開口するサポータ部の内側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる構成である。
【０００５】
上記課題を解決するための本発明の第２発明は、請求項２に記載された通りの外反母趾及び内反小指矯正用サポータであり、次のようなものである。
中足関節部、及び第５中足骨基底部を内方に押圧するようにし、親指と小指にかぶせる包容部を形成した外反母趾及び内反小指矯正用伸縮サポータにおいて、包容部を形成したサポータの上部が開口し、足の横巾に合わせてサポータの大きさを調節できるように形成し、さらに、上部が開口するサポータ部の内側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる構成である。
【０００６】
上記課題を解決するための本発明の第３発明は、請求項３に記載された通りの外反母趾及び内反小指矯正用サポータであり、次のようなものである。
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口し、足の横巾に合わせてサポータの大きさを調節できるように形成し、さらに、上部が開口するサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる構成である。
【０００７】
上記課題を解決するための本発明の第４発明は、請求項４に記載された通りの外反母趾及び内反小指矯正用サポータであり、次のようなものである。
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口しない筒状のサポータで形成し、さらに、上部が開口しない筒状のサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる構成である。
【０００８】
上記課題を解決するための本発明の第５発明は、請求項５に記載された通りの外反母趾及び内反小指矯正用サポータであり、次のようなものである。
中足関節部、及び第５中足骨基底部を内方に押圧するようにし、親指と小指にかぶせる包容部を形成した外反母趾及び内反小指矯正用伸縮サポータにおいて、サポータの上部が開口し、足の横巾に合わせてサポータの大きさを調節できるように形成し、さらに、上部が開口するサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる構成である。
【０００９】
上記課題を解決するための本発明の第６発明は、請求項６に記載された通りの外反母趾及び内反小指矯正用サポータであり、次のようなものである。
中足関節部、及び第５中足骨基底部を内方に押圧するようにし、親指と小指にかぶせる包容部を形成した外反母趾及び内反小指矯正用伸縮サポータにおいて、サポータの上部が開口しない筒状のサポータで形成し、さらに、上部が開口しない筒状のサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる構成である。
【発明の効果】
【００１０】
本発明に係る外反母趾及び内反小指矯正用サポータは、上記説明のような構成を有するので、以下に記載する効果を奏する。
（１）親指と第２指間の指間パットと第４指と第５指間の指間パットによって外方に拡開された親指と第５指を足の中足関節部、第５中足骨基底部、及び足底部をクッション材で押圧することにより、より第２指、第３指、第４指よりも効率的に親指及び小指がより外方に拡開し、横揺れ、横ぶれ、縦揺れを防止できる足裏に横アーチ、縦アーチを再生させ、外反母趾及び内反小指の矯正に絶大な効果がある。
（２）外反母趾及び内反小指矯正用サポータ本体に一体的に形成したズレ防止ベルトを採用することによって、第５中足骨基底部押圧クッション材を正確な位置に取り付けることができ、横アーチ、縦アーチを再生することができる。
（３）たとえ、サポータ使用中において、立って歩くような場合、足に体重による負荷が大きくかかっても本発明の特徴である上部が開口するサポータ部の外側、若しくは内側に足の母指球部の支点と第５中足骨基底部である作用点までを覆うことができる中足関節を強固に固定するサポータによって、縦アーチや横アーチを固定しているサポータ部が伸びや変形をすることを防止することで、より外反母趾及び内反小指の矯正に効果がある。
【発明を実施するための最良の形態】
【００１１】
中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口し、足の横巾に合わせてサポータの大きさを調節できるように形成し、さらに、上部が開口するサポータ部の内側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、立った姿勢で行動する場合に体重による負荷が掛ってもバランスを崩さない外反母趾、内反小指さらには偏平足にも効果が得られる外反母趾及び内反小指矯正用サポータである。
【実施例】
【００１２】
以下、図面を用いて本発明の一実施例に関して説明する。
図１は、本発明の外反母趾及び内反小指矯正用サポータの第一実施例を示す斜視図、図２は、本発明の外反母趾及び内反小指矯正用サポータの第一実施例の開放状態を示す斜視図、図３は、本発明の外反母趾及び内反小指矯正用サポータの第二実施例の開放状態を示す斜視図、図４は、本発明の外反母趾及び内反小指矯正用サポータの第三実施例を示す斜視図である。
【００１３】
先ず、図１、図２に基づいて本発明の外反母趾及び内反小指矯正用サポータの第一実施例について説明する。
１はサポータのズレ防止ベルト、２は親指の付け根にある母指球部押圧クッション材、３は第５中足骨基底部押圧クッション材、４は足底部押圧クッション材、５は足の大きさ（横巾）に合わせて調節できるようにした係止用マジック（登録商標）ファスナー、６は親指と第２指間の指間パット、７は第４指と第５指間の指間パット、８は足の大きさ（縦巾）に合わせて調節できるようにしたマジック（登録商標）ファスナー、１２は足の母指球部の支点と第５中足骨基底部である作用点をまでを覆うことができ、中足関節を強固に固定する伸縮のし難い素材のサポータ、１３は足の大きさ（横巾）に合わせて調節できるようにした係止用マジック（登録商標）ファスナーをそれぞれ示す。
【００１４】
本発明である外反母趾及び内反小指矯正サポータを使用することにより、外反母趾と内反小指の患部である親指と第２指間、第４指と第５指間を指間パット６、７とで離すことができる。さらに、母指球部押圧クッション材２と第５中足骨基底部押圧クッション材３により足の力点と作用点に相当する場所を押圧し、曲がっていた親指や出っ張った骨を矯正する作用が奏される。さらに足底部押圧クッション材４により土踏まずを上に上げることにより、足に横アーチと縦アーチを発生させ、患部である親指と小指をより外側へ向けることができ、外反母趾及び内反小指の回復に絶大の効果を挙げることができ、さらに上部が開口する伸縮サポータ部５の内側に足の母指球部の支点と第５中足骨基底部である作用点までを覆うことができ、中足関節を強固に固定する伸縮のし難い素材で形成した別のサポータ１２により足に発生した横アーチと縦アーチが発生した足をより強固に固定し、サポータ使用中において足に体重による負荷が大きくかかっても上部が開口するサポータ部の内側に足の母指球部の支点と第５中足骨基底部である作用点をまでを覆うことができる中足関節を強固に固定する別のサポータ１２によって、縦アーチや横アーチを固定しているサポータ部５の伸びや変形をすることを防止することができるものである。
【００１５】
また、母指球部押圧クッション材２、第５中足骨基底部押圧クッション材３は靴との摩擦や痛みを防ぐ作用が高くなる。さらに、足裏全体の形が整い、浮いていた足の指が地面に接地するため、外反母趾及び内反小指の回復に対し、今までより数段矯正する作用がある。
【００１６】
次に、図３に基づいて本発明の第二実施例について説明する。
第二実施例は、上記した第一実施例中の上部が開口する伸縮サポータ部５の内側に足の母指球部の支点と第５中足骨基底部である作用点までを覆うことができ、中足関節を強固に固定する伸縮のし難い素材で形成した別のサポータ１２を上部が開口している伸縮サポータ部５の外側に形成したもので、内側に形成した時と同様な効果を奏することができる。
【００１７】
次に、図４に基づいて本発明の第三実施例について説明する。
第三実施例で示した外反母趾及び内反小指矯正伸縮サポータは、前記第一実施例、第二実施例の特徴に加えて、親指と第２指間の指間パット６、第４指と第５指間の指間パット７と親指カバー部９、第５指カバー部１０を併用することにより、親指と第２指間の指間パット６、第４指と第５指間の指間パット７が全くズレなくなり著しく変形した指にも対応できるものである。
【００１８】
尚、図示はしないが、第四実施例として、中足関節部、及び第５中足骨基底部を内方に押圧するようにし、親指と第２指との間および第４指と第５指の間に指間パットを一体的に形成した外反母趾及び内反小指矯正用伸縮サポータにおいて、サポータの上部が開口しない筒状のサポータで形成し、さらに、上部が開口しない筒状のサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる外反母趾及び内反小指矯正用サポータが具体的な実施例とすることができる。
また、同じく図示はしていないが、第五実施例として、中足関節部、及び第５中足骨基底部を内方に押圧するようにし、親指と小指にかぶせる包容部を形成した外反母趾及び内反小指矯正用伸縮サポータにおいて、サポータの上部が開口しない筒状のサポータで形成し、さらに、上部が開口しない筒状のサポータ部の外側に足の母指球部の支点と第５中足骨基底部である作用点までを覆うことができ、中足関節を強固に固定する伸縮のし難い素材で形成した別のサポータを形成し、また足のかかと部でサポータのズレ防止を行うことができるようにズレ防止ベルトを形成し、このズレ防止ベルト付きのサポータに親指の付け根にある足の中足関節部、及び小指側の第５中足骨基底部に当接する部分にパット等のクッション材を設け、さらに、足底部の土踏まずにクッション材を設けることにより、中足関節部及び第５中足骨基底部を中心とするリスフラン関節部を押圧する力により親指及び小指がより外方に拡開し、足裏に横アーチと縦アーチを再生させた時の縦アーチへの補助となり、外反母趾、内反小指さらには偏平足にも効果が得られる外反母趾及び内反小指矯正用サポータが具体的な実施例とすることができる。
【００１９】
ここで、外反母趾及び内反小指が及ぼす悪影響について説明する。
足の役割は、「重力とのバランス」を機能的に効率よく保つことだが、外反母趾・内反小指があると足裏が不安定になるため、重心の片寄りが起き、次のようなアンバランスが発生してしまう。
そこで、外反母趾・内反小指と、慢性痛との関係を３つの機能について低下する点から見てみると、
【００２０】
（１）安定機能の低下・・・・積木の一段目の原理（骨格や姿勢を悪くする）
積木の一段目が狂うとその上部は必ず反対側に狂う、という自然界の法則があり、足裏に異常があると、その上部にも構造学的アンバランスが発生し、骨格や姿勢を悪くする。特に足の異常は左右対称に起きないため、足の長短差や骨盤の高低差を発生させる。
（２）免震機能の低下・・・・地震の縦揺れ・横揺れの原理（過剰な衝撃とねじれによる破壊のエネルギーが発生）
足に異常があると免震作用が衰え、歩くたびに地震でいわれるところの縦揺れ（過剰な衝撃波）と横揺れ（過剰なねじれ波）を繰り返し伝え、変形、疲労骨折、老化等の過労性の損傷を発生させる。特に横揺れは上部に伝わる時、ねじれ波のエネルギーに変化することをしらなければならない。
（３）運動機能の低下・・・・根の小さい大木の原理（体が硬くなり運動能力が衰える）
足の異常に伴う足裏の不安定は、身体を支える足裏の範囲が狭くなる２点歩行となるため、身体に余分な力が入り身体が硬くなると共に運動能力が衰えてしまう。足の異常は歩行運動の衰えと共に身体が硬くなり運動能力が低下する。
以上、３つの足の機能的役割の中でも現代人の足は免震機能の低下が著しく、慢性痛や神経不調を発生させる最大原因になっている。特に、「過剰な衝撃波とねじれ波」は時間経過と共に過労性を増していくものである。
そのため、本発明では、以上の問題点を解決するために工夫したものである。
【００２１】
さらに、治療用具をサポータにし、足のかかと部に足の大きさにより長さを調節できるズレ防止ベルトを備えたことにより、どのような足型の人にでもフィットし、サポータを付けた時に違和感を最少にすることができる。
【００２２】
なお、足のズレ防止のために形成したベルトは、紐やゴム状のものも考えられるが、紐やゴム状のものにすると、第５中足骨基底部押圧クッション３を正しい位置に設置できず、効果が半減されてしまう。そのため、本発明では、足のズレ防止にベルトを採用することにより、完全に第５中足骨基底部をサポータで覆うことが可能となり、クッション材による押圧効果及び足のズレ防止の両方に最適なものを採用した。
【００２３】
なお、より効果的に外反母趾及び内反小指矯正サポータの矯正を行うためにズレ防止ベルトにも、クッション材を入れることも考えられる。
【００２４】
なお、今回本発明のサポータ１２は、伸縮のし難い素材で形成するものが記載されているが、上部が開口するサポータ部５を伸縮し難い素材で形成し、内側若しくは外側のサポータ１２を伸縮する素材で形成することも考えられる。
【産業上の利用可能性】
【００２５】
外反母趾及び内反小指矯正サポータ等、各種外反母趾及び内反小指治療用具で利用することができる。
【図面の簡単な説明】
【００２６】
【図１】本発明の外反母趾及び内反小指矯正用サポータの第一実施例を示す斜視図である。
【図２】本発明の外反母趾及び内反小指矯正用サポータの第一実施例の開放状態を示す斜視図である。
【図３】本発明の外反母趾及び内反小指矯正用サポータの第二実施例の開放状態を示す斜視図である。
【図４】本発明の外反母趾及び内反小指矯正用サポータの第三実施例を示す斜視図である。
【符号の説明】
【００２７】
１・・・・ズレ防止ベルト
２・・・・母指球部押圧クッション材
３・・・・第５中足骨基底部押圧クッション材
４・・・・足底部押圧クッション材  
５・・・・マジック（登録商標）ファスナー
６・・・・親指と第２指間の指間パット
７・・・・第４指と第５指間の指間パット
８・・・・マジック（登録商標）ファスナー
９・・・・親指カバー部
１０・・・・第５指カバー部
１１・・・・筒状部材
１２・・・・サポータ
１３・・・・マジック（登録商標）ファスナー
【図１】
0004783626.tif 000002
【図２】
0004783626.tif 000003
【図３】
0004783626.tif 000004
【図４】
0004783626.tif 000005